(57)【要約】【課題】反覆されることになる分解・組立て作業が容易であって、使用時にのみ設置することができ、不使用時には分解して片付けておくことができ、以て長時間に亘る不使用時に交通の妨げとならないゴミ収集所配置用ゴミ収納庫を提供することを課題とする。【解決手段】正面部２、２ａ、背面部３、３ａ及び両側面部４、４を有し、正面部２、２ａは開閉可能であると共に両側面部４、４ａに対し着脱自在であり、両側面部４、４ａは背面部３、３ａに対しヒンジ止め１５されて折畳み可能である。正面部２、２ａには、吊下された開閉ドア１、１ａを備え、正面部２、２ａの下端部に開閉ドア１、１ａの移動動作を支持するレール１３、１３ａを設ける。【選択図】図１
2005162366.tif 000002
【特許請求の範囲】
【請求項１】
分解・組立容易な複数の構成部から成り、使用時に組立て、不使用時に分解可能にしたことを特徴とするゴミ収集所配置用ゴミ収納庫。
【請求項２】
複数の構成部から成り、前記構成部は隣接するもの同士連結・分離自在であり、使用時に連結して全体的に箱型に構成可能であり、不使用時には互いに分離してコンパクトに片付け可能であることを特徴とするゴミ収集所配置用ゴミ収納庫。
【請求項３】
はぼ左右対称に分割可能にした請求項１又は２に記載のゴミ収集所配置用ゴミ収納庫。
【請求項４】
少なくとも正面部、背面部及び両側面部を有し、前記正面部は開閉可能であると共に前記両側面部に対し着脱自在であり、前記両側面部は背面部に対しヒンジ止めされて折畳み可能であることを特徴とする請求項１乃至３のいずれかに記載のゴミ収集所配置用ゴミ収納庫。
【請求項５】
配置、取外し容易な天井を有する請求項１乃至４のいずれかに記載のゴミ収集所配置用ゴミ収納庫。
【請求項６】
前記正面部は、吊下された開閉ドアを有する請求項１乃至５のいずれかに記載のゴミ収集所配置用ゴミ収納庫。
【請求項７】
前記正面部の下端部に、前記開閉ドアの移動動作を支持するレールを設けた請求項６に記載のゴミ収集所配置用ゴミ収納庫。
【請求項８】
前記側面部及び／又は背面部に、固定ヒモの掛止めが可能なハンドルを設けた請求項１乃至７のいずれかに記載のゴミ収集所配置用ゴミ収納庫。
【請求項９】
前記正面部、両側面部及び背面部の全部又は一部を、メッシュ材を用いる等によって通気可能にした請求項１乃至８のいずれかに記載のゴミ収集所配置用ゴミ収納庫。
【発明の詳細な説明】
【技術分野】
【０００１】
本発明はゴミ収集所配置用ゴミ収納庫、より詳細には、折畳み及び分解容易で、不使用時にはコンパクトに片付けておくことができるゴミ収集所配置用ゴミ収納庫に関するものである。
【背景技術】
【０００２】
従来、住宅地の景観を損なわず、また、カラスやネコ等に荒らされる虞なくゴミを整然且つ衛生的に収納できるゴミ収集所配置用ゴミ収納庫として、アルミニウム資材で箱型にフレームを組み、各面に通気性のある資材を配設し、前面又は前後面にドアを配置したものがある。このゴミ収納庫は常設型で、使用される時間は短いにも関わらず、不使用時にもそのまま設置されていて、広い場所を占有し続けるため、通行人、自転車又は自動車等の交通の妨げとなる欠点があった。
【特許文献１】登録実用新案第３０３４４２４号公報
【発明の開示】
【発明が解決しようとする課題】
【０００３】
上述したように、従来のゴミ収集所配置用ゴミ収納庫は、使用時よりも長時間に亘る不使用時にも、そのままの形態を維持して少なからぬスペースを占有し続けるため、通行人、自転車又は自動車等の交通の妨げとなっていた。
【０００４】
そこで、本発明はそのような問題のない、即ち、反覆されることになる分解・組立て作業が容易であって、使用時にのみ設置することができ、不使用時には分解して片付けておくことができ、以て長時間に亘る不使用時に交通の妨げとならないゴミ収集所配置用ゴミ収納庫を提供することを課題とする。
【課題を解決するための手段】
【０００５】
上記課題を解決するための本発明に係るゴミ収集所配置用ゴミ収納庫は、分解・組立容易な複数の構成部から成り、使用時に組立て、不使用時に分解可能にしたことを特徴とする。
【０００６】
また、上記課題を解決するための本発明に係るゴミ収集所配置用ゴミ収納庫は、分解・組立容易な複数の構成部から成り、前記構成部は隣接するもの同士連結・分離自在であり、使用時に連結して全体的に箱型に構成可能であり、不使用時には互いに分離してコンパクトに片付け可能であることを特徴とする。
【０００７】
更に、上記課題を解決するための本発明に係るゴミ収集所配置用ゴミ収納庫は、少なくとも正面部、背面部及び両側面部を有し、前記正面部は開閉可能であると共に前記両側面部に対し着脱自在であり、前記両側面部は背面部に対しヒンジ止めされて折畳み可能であることを特徴とする。
【０００８】
前記ゴミ収集所配置用ゴミ収納庫は、ほぼ左右対称に分割可能に構成することができ、好ましくは、配置、取外し容易な天井を備える。また、前記正面部には、吊下された開閉ドアを備え、前記正面部の下端部に前記開閉ドアの移動動作を支持するレールを設け、前記側面部及び／又は背面部に、固定ヒモの掛止めが可能なハンドルを設けることが好ましい。更に、前記正面部、両側面部及び背面部の全部又は一部を、メッシュ材を用いる等によって通気可能にすることもできる。
【発明の効果】
【０００９】
本発明に係るゴミ収納庫は、カラスやネコ等に荒らされる虞なくゴミを整然且つ衛生的に収納でき、しかも、分解・組立て容易であって、不使用時には分解して片付けておくことができるので、通行人、自転車又は自動車等の交通の妨げとなることがない。
【発明を実施するための最良の形態】
【００１０】
本発明の実施の形態につき、添付図面に依拠して説明する。図１は、本発明に係るゴミ収集所配置用ゴミ収納庫の組立て状態を示す斜視図である。図示したゴミ収納庫はほぼ左右対称形で、左右対称に２分割し得るものであり、例えば、開閉ドア１、１ａ、正面壁２、２ａ、背面壁３、３ａ、側面壁４、４ａから成り、そして、好ましくは更に天井５、５ａを備え、全体的に箱型を呈している。
【００１１】
開閉ドア１、１ａ及び正面壁２、２ａはそれぞれ一対設けてあるが、ゴミ収納庫のサイズによっては開閉ドアは１個であってもよい。また、背面壁３、３ａや天井５、５ａも、一枚板であってもよい。
【００１２】
正面壁２、２ａは、通例複数の留め具７を介し、それぞれ側面壁４、４ａと連結される。例えば留め具７は、図３に示されるように、正面壁２、２ａと側面壁４、４ａの一方（図では正面壁２、２ａの側）に固定される掛け金具７ａと、その他方（図では側面壁４、４ａの側）に取り付けられる掛けリング７ｂ付きハンドル７ｃから成る。留め具７は、正面壁２、２ａと側面壁４、４ａの接合部コーナーの外側に取り付けられ、ハンドル７ｃの回動操作で掛けリング７ｂを掛け金具７ａに掛けてロックする。
【００１３】
また、正面壁２、２ａと側面壁４、４ａの接合部コーナ内側には、アーム８とアーム受け９とから成るコーナー支持具が、通例、上下に２つ設置される。アーム８は一端を正面壁２、２ａに枢支され、他端には、アーム受け９に形成される係止孔１０に上方から進入する係止突起１１が設置される（図４）。なお、図４に示した例では、アーム８は正面壁２、２ａの方に設置され、アーム受け９は側面壁４、４ａの方に設置されているが、その逆に設置することとしてもよい。
【００１４】
このコーナー支持具は、組立時において、正面壁２、２ａと側面壁４、４ａとを直角に配置した後、アーム８を降ろしてその係止突起１１をアーム受け９の係止孔１０内に進入させる。かくして、上記留め具７と相俟って、正面壁２、２ａと側面壁４、４ａとを確固と連結し、且つ、両壁間を直角に保持する。
【００１５】
正面壁２、２ａの上辺には、それぞれドア吊下レール１２、１２ａが取り付けられ、ドア吊下レール１２とドア吊下レール１２ａとは、継ぎ合わせ可能にされる。その継ぎ合わせ手段は特に問わないが、例えば、一方のレールの先端に中空部を設け、他方のレールの先端に、該中空部内に嵌入する突部を設ける方法が簡便である（図２参照）。ドア吊下レール１２、１２ａの長さは、普通、それぞれ正面壁２、２ａの幅の２倍程度とされる。
【００１６】
各ドア吊下レール１２、１２ａは、例えばカーテンレールのような角Ｃ字形の吊下溝２０を有し、そこに係止されて滑走するランナー１４が、開閉ドア１、１ａの上辺にそれぞれ複数固定される（図５及び図９参照）。かくして開閉ドア１、１ａは、左右に移動可能となり、出入口の開閉が可能となる。
【００１７】
必要に応じ、正面壁２、２ａの下辺に、支持レール１３、１３ａが取り付けられる。支持レール１３、１３ａは、ドア吊下レール１２、１２ａのような長尺である必要はなく、正面壁２、２ａから若干突出する程度で足りる。この支持レール１３、１３ａは、奥側に正面壁２、２ａを固定する溝を有すると共に、手前側に開閉ドア１、１ａをスライドさせる溝を有し（図９）、以て、開閉ドア１、１ａが開閉動作の際にブレることを防止し、開閉動作を安定させる役目を果たす。
【００１８】
側面壁４、４ａと背面壁３、３ａとの連結は、コーナー外側に配した複数のヒンジ１５を介して行われ、また、コーナー内側に、上記コーナー支持具と同様のアーム１６とアーム受け１７とから成るコーナー支持具が配置される。この場合側面壁４、４ａと背面壁３、３ａとは、分解時においてアーム１６をアーム受け１７から外すことにより、ヒンジ１５を内側にして折畳み可能となる。
【００１９】
背面壁３と背面壁３ａの接合は、例えば、上下に２個設置される掛け金具１８により行われる。掛け金具１８は、背面壁３、３ａの一方の側に回動可能に取り付けられるピン付きアーム１９と、背面壁３、３ａの他方側に取り付けられるアーム受け１９ａとから成り、ピン付きアーム１９を回してアーム受け１９ａに掛けることにより、ピン付きアーム１９をアーム受け１９ａに掛止させる。
【００２０】
背面壁３、３ａの接合時に、背面壁３、３ａが折れずに一直線状となるように、折れ止め具２１を設置することが好ましい。折れ止め具２１は、図８に示すように、背面壁３、３ａの一方に設置される角Ｃ字形のスライドパイプ２２と、その他方に設置され、スライドパイプ２２の縦溝２２ａに係合し、縦溝２２ａに沿って相対的に摺動する複数の係合突子２３とから成る。
【００２１】
スライドパイプ２２は、他方の背面壁側にスライドさせ、その縦溝２２ａに係合突子２３を嵌合させて更にスライドさせることにより、背面壁３、３ａに跨った状態となり、かくして、接合時における背面壁３、３ａを直線状に維持する。
【００２２】
背面壁３、３ａの上辺には、天井受け枠２５、２５ａを設置することがある。天井受け枠２５と天井受け枠２５ａとは、ドア吊下レール１２、１２ａと同様にして継ぎ合わせ可能にしてもよい。天井受け枠２５、２５ａには、天井５、５ａの端縁を受け入れる挿入溝２６が形成される（図９参照）。
【００２３】
側面壁４、４ａの上端部には、天井受け２８が取り付けられる。図１０に示すように天井５、５ａを側面壁４、４ａの上面上に置く場合は、天井受け２８は側面壁４、４ａの最上端部に位置させ、天井５、５ａを側面壁４、４ａ間に収めるようにする場合は、天井受け２８は、天井５、５ａの厚さ分下がった位置に取り付ける。
【００２４】
強風による天井５、５ａの吹き上がりを防止するため、天井５、５ａとドア吊下レール１２、１２ａとの間に、留め具７と同様の留め具２９を設置することが好ましい。
【００２５】
更に必要に応じ、例えば側面壁４、４ａにハンドル３０を設置する。このハンドル３０は、移動の際に握持したり、本ゴミ収納庫を設置部付近の木、電柱、棚等の固定物に固定ヒモでくくり付けたりする際に利用する。
【００２６】
なお、全体の軽量化及び通気性の向上のために、開閉ドア１、１ａ、正面壁２、２ａ、背面壁３、３ａ、側面壁４、４ａ、並びに、天井５、５ａの全部又は一部をメッシュ材その他の通気良好資材製とすることもある。
【００２７】
上記構成において、組立てに際しては、例えば、側面壁４、４ａと背面壁３、３ａとを直角に拡げ、それぞれアーム１６をアーム受け１７に掛けて、その直角状態を維持させる。そして、ピン付きアーム１９をアーム受け１９ａに掛けると共に、スライドパイプ２２をスライドさせることにより、背面壁３と背面壁３ａとを接合する。
【００２８】
次いで、留め具７を介して正面壁２、２ａと側面壁４、４ａとを連結し、アーム８をアーム受け９に掛けて補強する。そして、開閉ドア１、１ａを、そのランナー１４をドア吊下レール１２、１２ａに吊下させると共に支持レール１３、１３ａに支持させることにより取り付ける。なお、吊下レール１２、１２ａと支持レール１３、１３ａは正面壁２、２ａに固定されているが、開閉ドア１、１ａを予め吊下レール１２、１２ａと支持レール１３、１３ａ間に設置し、そこから外れないようにしておくこともできる。
【００２９】
天井５、５ａがある場合は、その端縁を天井受け枠２５、２５ａの挿入溝２６内に差込み、両側端部を天井受け２８上に載せる。そして、留め具２９を介してドア吊下レール１２、１２ａを固定する。
【００３０】
分解する場合は、上記組立て操作の逆を行えばよい。そして、分解後は、適宜畳む等の操作により、その場において、あるいは他の場所に移動させてコンパクトにまとめて保管することが可能である。
【図面の簡単な説明】
【００３１】
【図１】本発明に係るゴミ収納庫の構成例の斜視図である。
【図２】本発明に係るゴミ収納庫の分解斜視図である。
【図３】本発明に係るゴミ収納庫における留め具を示す図である。
【図４】本発明に係るゴミ収納庫におけるコーナー支持具を示す図である。
【図５】本発明に係るゴミ収納庫におけるランナーを示す図である。
【図６】本発明に係るゴミ収納庫におけるヒンジを示す図である。
【図７】本発明に係るゴミ収納庫における掛け金具を示す図である。
【図８】本発明に係るゴミ収納庫における折れ止め具を示す図である。
【図９】本発明に係るゴミ収納庫の構成例の縦断面図（正面壁と垂直断面）である。
【図１０】本発明に係るゴミ収納庫の構成例の縦断面図（正面壁と平行断面）である。
【符号の説明】
【００３２】
１      開閉ドア
１ａ    開閉ドア
２      正面壁
２ａ    正面壁
３      背面壁
３ａ    背面壁
４      側面壁
４ａ    側面壁
５      天井
５ａ    天井
７      留め具
７ａ    掛け金具
７ｂ    掛けリング
７ｃ    ハンドル
８      アーム
９      アーム受け
１０    係止孔
１１    係止突起
１２    ドア吊下レール
１２ａ  ドア吊下レール
１３    支持レール
１３ａ  支持レール
１４    ランナー
１５    ヒンジ
１６    アーム
１７    アーム受け
１８    掛け金具
１９    ピン付きアーム
１９ａ  アーム受け
２０    吊下溝
２１    折れ止め具
２２    スライドパイプ
２２ａ  縦溝
２３    係合突子
２５    天井受け枠
２５ａ  天井受け枠
２６    挿入溝
２８    天井受け
２９    留め具
【図１】
2005162366.tif 000003
【図２】
2005162366.tif 000004
【図３】
2005162366.tif 000005
【図４】
2005162366.tif 000006
【図５】
2005162366.tif 000007
【図６】
2005162366.tif 000008
【図７】
2005162366.tif 000009
【図８】
2005162366.tif 000010
【図９】
2005162366.tif 000011
【図１０】
2005162366.tif 000012